(57)【特許請求の範囲】
【請求項１】
左側壁及び右側壁並びに上壁及び下壁と、
前記左右の側壁及び上下壁により囲まれた表側から裏側への空間の略中央部に配設され、前記左側壁及び右側壁間並びに前記上壁及び下壁間に渡る仕切り壁と、
前記表側から前記仕切り壁に向かうにつれて狭くなる表側土壌収容部と、
前記裏側から前記仕切り壁に向かうにつれて狭くなる裏側土壌収容部と、
前記上壁上面に形成された左右方向に延びる凹部と、
前記下壁下面に形成された、前記凹部の一部と嵌合する形状を持つ左右方向に延びる凸部と、
前記上壁の凹部と前記表側土壌収容部及び裏側土壌収容部のそれぞれとを連通するように形成された上部水抜き穴と、
前記下壁の凸部と前記表側土壌収容部及び裏側土壌収容部のそれぞれとを連通するように形成された下部水抜き穴とを備え、
前記上部水抜き穴と前記下部水抜き穴とを、嵌合する前記凹部及び凸部の接合面で連通するように形成してなる緑化ブロック。
【請求項２】
請求項１において、前記表側土壌収容部及び裏側土壌収容部に配設する土壌の落下抑制用の着脱可能な支持部材を設けた緑化ブロック。
【請求項３】
請求項１において、前記仕切り壁に、前記表側土壌収容部と前記裏側土壌収容部との連結穴を形成した緑化ブロック。
【請求項４】
請求項１において、前記下壁に形成された左右方向に延びる凸部に左右方向に延びる溝部を形成した緑化ブロック。
【請求項５】
左側壁及び右側壁並びに上壁及び下壁と、
前記左右の側壁及び上下壁により囲まれた表側から裏側への空間の略中央部に配設され、前記左側壁及び右側壁間並びに前記上壁及び下壁間に渡る仕切り壁と、
前記表側から前記仕切り壁に向かうにつれて狭くなる表側土壌収容部と、
前記裏側から前記仕切り壁に向かうにつれて狭くなる裏側土壌収容部と、
前記上壁上面と前記表側土壌収容部及び裏側土壌収容部のそれぞれとを連通するように形成された上部水抜き穴と、
前記下壁下面と前記表側土壌収容部及び裏側土壌収容部のそれぞれとを連通するように形成された下部水抜き穴とを備え、前記仕切り壁に、前記表側土壌収容部と前記裏側土壌収容部との連結穴を形成してなる緑化ブロックであって、
当該緑化ブロックを上下に並設した場合に、前記上部水抜き穴及び下部水抜き穴を上下の接合面で連通するように形成してなる緑化ブロック。
【請求項６】
請求項５において、前記表側土壌収容部及び裏側土壌収容部に配設する土壌の落下抑制用の着脱可能な支持部材を設けた緑化ブロック。
【請求項７】
請求項５において、前記上壁上面及び下壁下面に左右方向に延びる凹部を形成した緑化ブロック。
【請求項８】
左側壁及び右側壁、上壁及び下壁並びに後壁と、
前記左右の側壁及び上下壁により囲まれた、後壁に向かうにつれて狭くなる土壌収容部と、
前記上壁上面に形成された左右方向に延びる凹部と、
前記下壁下面に形成された、前記凹部の一部と嵌合する形状を持つ左右方向に延びる凸部と、
前記上壁の凹部と前記土壌収容部とを連通するように形成された上部水抜き穴と、
前記下壁の凸部と前記土壌収容部とを連通するように形成された下部水抜き穴とを備え、
前記上部水抜き穴と前記下部水抜き穴とを、嵌合する前記凹部及び凸部の接合面で連通するように形成してなる緑化ブロック。
【請求項９】
請求項８において、前記土壌収容部に配設する土壌の落下抑制用の着脱可能な支持部材を設けた緑化ブロック。
【請求項１０】
請求項８において、前記後壁の後面に前側に窪んだ後面水受け部を形成し、この後面水受け部内の下部と前記土壌収容部とを連通する前側に傾斜する後部水受け穴を設けた緑化ブロック。
【請求項１１】
請求項８において、前記下壁に形成された左右方向に延びる凸部に左右方向に延びる溝部を形成した緑化ブロック。
【請求項１２】
左側壁及び右側壁、上壁及び下壁並びに後壁と、
前記左右の側壁及び上下壁により囲まれた、後壁に向かうにつれて狭くなる土壌収容部と、
前記上壁上面と前記土壌収容部とを連通するように形成された上部水抜き穴と、
前記下壁下面と前記土壌収容部とを連通するように形成された下部水抜き穴とを備え、前記後壁の後面に前側に窪んだ後面水受け部を形成し、この後面水受け部内の下部と前記土壌収容部とを連通する前側に傾斜する後部水受け穴を設けた緑化ブロックであって、
当該緑化ブロックを上下に並設した場合に、前記上部水抜き穴及び下部水抜き穴を上下の接合面で連通するように形成してなる緑化ブロック。
【請求項１３】
請求項１２において、前記土壌収容部に配設する土壌の落下抑制用の着脱可能な支持部材を設けた緑化ブロック。
【請求項１４】
請求項１２において、前記上壁上面及び下壁下面に左右方向に延びる凹部を形成した緑化ブロック。
【請求項１５】
請求項１〜１４のいずれかにおいて、前記左側壁の左面及び前記右側壁の右面の略中央部に上下方向に延びる凹部を形成した緑化ブロック。
【請求項１６】
左側壁及び右側壁並びに上壁及び下壁と、前記左右の側壁及び上下壁により囲まれた表側から裏側への空間の略中央部に配設され、前記左側壁及び右側壁間並びに前記上壁及び下壁間に渡る仕切り壁と、前記表側から前記仕切り壁に向かうにつれて狭くなる表側土壌収容部と、前記裏側から前記仕切り壁に向かうにつれて狭くなる裏側土壌収容部と、前記左側壁の左面及び右側壁の右面の略中央部に形成された上下方向に延びる凹部と、前記上壁上面に形成された左右方向に延びる凹部と、前記下壁下面に形成された、前記上壁上面に形成された左右方向に延びる凹部の一部と嵌合する形状を持つ左右方向に延びる凸部と、前記上壁の凹部と前記表側土壌収容部及び裏側土壌収容部のそれぞれとを連通するように形成された上部水抜き穴と、前記下壁の凸部と前記表側土壌収容部及び裏側土壌収容部のそれぞれとを連通するように形成された下部水抜き穴とを備え、前記上部水抜き穴と前記下部水抜き穴とを、嵌合する前記凹部及び凸部の接合面で連通するように形成してなる、上下左右に配設されたコンクリートブロックと、
前記左側壁の左面の上下方向に延びる凹部と前記右側壁の右面の上下方向に延びる凹部との空間に通された上下方向の鉄筋及び該空間に打設されたコンクリートと、
前記上壁上面に形成された左右方向に延びる凹部と前記下壁下面に形成された左右方向に延びる凸部との空間に通された左右方向の鉄筋及び該空間に打設されたコンクリートと、
各コンクリートブロックの前記表側土壌収容部及び裏側土壌収容部に配設された土壌とを備え、この土壌に緑化植物を植栽してなる緑化ブロック塀。
【請求項１７】
請求項１６において、各コンクリートブロックの前記表側土壌収容部及び裏側土壌収容部に配設する土壌を、予め各コンクリートブロックの前記表側土壌収容部及び裏側土壌収容部に嵌合する形状に成型してなる緑化ブロック塀。
【請求項１８】
請求項１７において、前記成型土壌の全体又は一部を網体又は透水性のある包み材で覆ってなる緑化ブロック塀。
【請求項１９】
左側壁及び右側壁、上壁及び下壁並びに後壁と、前記左右の側壁及び上下壁により囲まれた、後壁に向かうにつれて狭くなる土壌収容部と、前記上壁上面に形成された左右方向に延びる凹部と、前記下壁下面に形成された、前記凹部の一部と嵌合する形状を持つ左右方向に延びる凸部と、前記上壁の凹部と前記土壌収容部とを連通するように形成された上部水抜き穴と、前記下壁の凸部と前記土壌収容部とを連通するように形成された下部水抜き穴とを備え、前記上部水抜き穴と前記下部水抜き穴とを、嵌合する前記凹部及び凸部の接合面で連通するように形成してなる、上下左右に配設されたコンクリートブロックと、
前記左側壁の左面の上下方向に延びる凹部と前記右側壁の右面の上下方向に延びる凹部との空間に通された上下方向の鉄筋及び該空間に打設されたコンクリートと、
前記上壁上面に形成された左右方向に延びる凹部と前記下壁下面に形成された左右方向に延びる凸部との空間に通された左右方向の鉄筋及び該空間に打設されたコンクリートと、
各コンクリートブロックの前記土壌収容部に配設された土壌とを備え、この土壌に緑化植物を植栽してなる緑化ブロック塀。
【請求項２０】
請求項１９において、各コンクリートブロックの前記土壌収容部に配設する土壌を、予め各コンクリートブロックの前記土壌収容部に嵌合する形状に成型してなる緑化ブロック塀。
【請求項２１】
請求項２０において、前記成型土壌の全体又は一部を網体又は透水性のある包み材で覆ってなる緑化ブロック塀。
【請求項２２】
請求項１６〜２１のいずれかにおいて、前記緑化ブロック塀を構築するコンクリートブロックの下面形状に合わせて上面形状を形成すると共に、既設コンクリートブロック塀の上面形状に合わせて下面形状を形成した接続用ブロックを備え、前記既設コンクリートブロック塀上に前記接続用ブロックを配設し、これら接続用ブロック上に前記緑化ブロック塀を積み上げてなる緑化ブロック塀。
【発明の詳細な説明】
【技術分野】
【０００１】
本発明は、ブロック塀等の鉛直面の緑化を行う緑化ブロック及び緑化ブロック塀に関するものである。
【背景技術】
【０００２】
環境保全及び自然嗜好等の風潮に伴い、ヒートアイランド現象の緩和、地球温暖化の抑制及び景観の向上等を企図して、塀、壁又は擁壁等を緑化する発明が多数なされている。
【０００３】
これらの中で、特に市街地の緑化に適したブロック塀の鉛直面の緑化を行うことが可能な構成として、塀の上端面に、前記塀よりも幅広で上方が開口した溝部を備えた箱状のブロック体を配置固定し、前記ブロック体の溝部の内部に土を入れて下垂植物を植栽することによりブロック塀の鉛直面の緑化を行うもの（例えば、特許文献１参照。）、コンクリートブロックに空洞を設け、前記空洞内に植栽機能を持つカセットを装着し、前記カセットを土壌として緑化植物を生育させることによりブロック塀の鉛直面の緑化を行うもの（例えば、特許文献２参照。）、一対の側壁と上下壁により囲まれた空間の中央が縦壁により仕切られ、表裏両面に空間部が形成され、各空間部の下部に土壌収容部を形成したブロックを用いて、前記土壌収容部に土壌を収容して緑化植物を植栽することによりブロック塀の鉛直面の緑化を行うもの（例えば、特許文献３参照。）等がある。
【特許文献１】特開２００１−７３４９６号公報（図１）
【特許文献２】特開平１０−３７３７７号公報（図１、図２、図４）
【特許文献３】特開平１１−１９３５１１号公報（図１−３）
【発明の開示】
【発明が解決しようとする課題】
【０００４】
以上のような従来の緑化ブロック塀においては、特許文献１の構成では、（１）重い土壌収容部が塀の上部に設けられているためにブロック塀の安定性に欠ける、（２）緑化植物が下垂植物に限定される、（３）塀の上部に配設された土壌収容部の土壌のみにより緑化植物を生育させるため土壌量が少ない、という問題点があった。また、特許文献２の構成では、（１）ブロック自体の構造が複雑であり、植栽機能を持つカセット及び散水孔を設けた給水パイプの配設等も含め、製造コスト及びメンテナンスコストが高い、（２）ブロックの片面に形成した空洞内に植栽機能を持つカセットを装着するため土壌量が少ない、という問題点があった。また、特許文献３の構成では、（１）各空間部の下部に土壌収容部を形成する必要があるためブロックの成型性が悪く、ブロック自体の製造コストが高い、（２）土壌収容部の容積が小さいため土壌量が少ない、（３）ボルトによりブロック同士を連結するため連結強度が低いと共に信頼性に欠ける、という問題点があった。
【０００５】
以上のように、従来の緑化ブロック塀は、土壌量が少ないことにより緑化植物の量がより制限されるためブロック塀の鉛直面の緑化を効率的に行うことができないこと、及び、緑化ブロックの構造等により、通常のコンクリートブロックと比較してコストが大幅に上昇すること等から、いずれも実用的なものとはいえなかった。
【０００６】
本発明は、前記のような問題点を解決するためになされたものであり、鉛直面の緑化を効率的に行うことができると共に実用的な緑化ブロック及び緑化ブロック塀を得ることを目的とする。
【課題を解決するための手段】
【０００７】
本発明に係る緑化ブロックは、前述の課題解決のため、左側壁及び右側壁並びに上壁及び下壁と、前記左右の側壁及び上下壁により囲まれた表側から裏側への空間の略中央部に配設され、前記左側壁及び右側壁間並びに前記上壁及び下壁間に渡る仕切り壁と、前記表側から前記仕切り壁に向かうにつれて狭くなる表側土壌収容部と、前記裏側から前記仕切り壁に向かうにつれて狭くなる裏側土壌収容部と、前記上壁上面に形成された左右方向に延びる凹部と、前記下壁下面に形成された、前記凹部の一部と嵌合する形状を持つ左右方向に延びる凸部と、前記上壁の凹部と前記表側土壌収容部及び裏側土壌収容部のそれぞれとを連通するように形成された上部水抜き穴と、前記下壁の凸部と前記表側土壌収容部及び裏側土壌収容部のそれぞれとを連通するように形成された下部水抜き穴とを備え、前記上部水抜き穴と前記下部水抜き穴とを、嵌合する前記凹部及び凸部の接合面で連通するように形成してなるものである。
【０００８】
ここで、前記表側土壌収容部及び裏側土壌収容部に配設する土壌の落下抑制用の着脱可能な支持部材を設けると好ましい。
【０００９】
また、前記仕切り壁に、前記表側土壌収容部と前記裏側土壌収容部との連結穴を形成すると好ましい。
【００１０】
さらに、前記下壁に形成された左右方向に延びる凸部に左右方向に延びる溝部を形成すると好ましい。
【００１１】
本発明に係る緑化ブロックは、前述の課題解決のため、左側壁及び右側壁並びに上壁及び下壁と、前記左右の側壁及び上下壁により囲まれた表側から裏側への空間の略中央部に配設され、前記左側壁及び右側壁間並びに前記上壁及び下壁間に渡る仕切り壁と、前記表側から前記仕切り壁に向かうにつれて狭くなる表側土壌収容部と、前記裏側から前記仕切り壁に向かうにつれて狭くなる裏側土壌収容部と、前記上壁上面と前記表側土壌収容部及び裏側土壌収容部のそれぞれとを連通するように形成された上部水抜き穴と、前記下壁下面と前記表側土壌収容部及び裏側土壌収容部のそれぞれとを連通するように形成された下部水抜き穴とを備え、前記仕切り壁に、前記表側土壌収容部と前記裏側土壌収容部との連結穴を形成してなる緑化ブロックであって、当該緑化ブロックを上下に並設した場合に、前記上部水抜き穴及び下部水抜き穴を上下の接合面で連通するように形成してなるものである。
【００１２】
ここで、前記表側土壌収容部及び裏側土壌収容部に配設する土壌の落下抑制用の着脱可能な支持部材を設けると好ましい。
【００１４】
さらに、前記上壁上面及び下壁下面に左右方向に延びる凹部を形成すると好ましい。
【００１５】
本発明に係る緑化ブロックは、前述の課題解決のため、左側壁及び右側壁、上壁及び下壁並びに後壁と、前記左右の側壁及び上下壁により囲まれた、後壁に向かうにつれて狭くなる土壌収容部と、前記上壁上面に形成された左右方向に延びる凹部と、前記下壁下面に形成された、前記凹部の一部と嵌合する形状を持つ左右方向に延びる凸部と、前記上壁の凹部と前記土壌収容部とを連通するように形成された上部水抜き穴と、前記下壁の凸部と前記土壌収容部とを連通するように形成された下部水抜き穴とを備え、前記上部水抜き穴と前記下部水抜き穴とを、嵌合する前記凹部及び凸部の接合面で連通するように形成してなるものである。
【００１６】
ここで、前記土壌収容部に配設する土壌の落下抑制用の着脱可能な支持部材を設けると好ましい。
【００１７】
また、前記後壁の後面に前側に窪んだ後面水受け部を形成し、この後面水受け部内の下部と前記土壌収容部とを連通する前側に傾斜する後部水受け穴を設けると好ましい。
【００１８】
さらに、前記下壁に形成された左右方向に延びる凸部に左右方向に延びる溝部を形成すると好ましい。
【００１９】
本発明に係る緑化ブロックは、前述の課題解決のため、左側壁及び右側壁、上壁及び下壁並びに後壁と、前記左右の側壁及び上下壁により囲まれた、後壁に向かうにつれて狭くなる土壌収容部と、前記上壁上面と前記土壌収容部とを連通するように形成された上部水抜き穴と、前記下壁下面と前記土壌収容部とを連通するように形成された下部水抜き穴とを備え、前記後壁の後面に前側に窪んだ後面水受け部を形成し、この後面水受け部内の下部と前記土壌収容部とを連通する前側に傾斜する後部水受け穴を設けた緑化ブロックであって、当該緑化ブロックを上下に並設した場合に、前記上部水抜き穴及び下部水抜き穴を上下の接合面で連通するように形成してなるものである。
【００２０】
ここで、前記土壌収容部に配設する土壌の落下抑制用の着脱可能な支持部材を設けると好ましい。
【００２２】
さらに、前記上壁上面及び下壁下面に左右方向に延びる凹部を形成すると好ましい。
【００２３】
さらにまた、前記左側壁の左面及び前記右側壁の右面の略中央部に上下方向に延びる凹部を形成すると好ましい。
【００２４】
本発明に係る緑化ブロック塀は、前述の課題解決のため、左側壁及び右側壁並びに上壁及び下壁と、前記左右の側壁及び上下壁により囲まれた表側から裏側への空間の略中央部に配設され、前記左側壁及び右側壁間並びに前記上壁及び下壁間に渡る仕切り壁と、前記表側から前記仕切り壁に向かうにつれて狭くなる表側土壌収容部と、前記裏側から前記仕切り壁に向かうにつれて狭くなる裏側土壌収容部と、前記左側壁の左面及び右側壁の右面の略中央部に形成された上下方向に延びる凹部と、前記上壁上面に形成された左右方向に延びる凹部と、前記下壁下面に形成された、前記上壁上面に形成された左右方向に延びる凹部の一部と嵌合する形状を持つ左右方向に延びる凸部と、前記上壁の凹部と前記表側土壌収容部及び裏側土壌収容部のそれぞれとを連通するように形成された上部水抜き穴と、前記下壁の凸部と前記表側土壌収容部及び裏側土壌収容部のそれぞれとを連通するように形成された下部水抜き穴とを備え、前記上部水抜き穴と前記下部水抜き穴とを、嵌合する前記凹部及び凸部の接合面で連通するように形成してなる、上下左右に配設されたコンクリートブロックと、前記左側壁の左面の上下方向に延びる凹部と前記右側壁の右面の上下方向に延びる凹部との空間に通された上下方向の鉄筋及び該空間に打設されたコンクリートと、前記上壁上面に形成された左右方向に延びる凹部と前記下壁下面に形成された左右方向に延びる凸部との空間に通された左右方向の鉄筋及び該空間に打設されたコンクリートと、各コンクリートブロックの前記表側土壌収容部及び裏側土壌収容部に配設された土壌とを備え、この土壌に緑化植物を植栽してなるものである。
【００２５】
ここで、各コンクリートブロックの前記表側土壌収容部及び裏側土壌収容部に配設する土壌を、予め各コンクリートブロックの前記表側土壌収容部及び裏側土壌収容部に嵌合する形状に成型すると好ましい。
【００２６】
また、前記成型土壌の全体又は一部を網体又は透水性のある包み材で覆うと好ましい。
【００２７】
本発明に係る緑化ブロック塀は、前述の課題解決のため、左側壁及び右側壁、上壁及び下壁並びに後壁と、前記左右の側壁及び上下壁により囲まれた、後壁に向かうにつれて狭くなる土壌収容部と、前記上壁上面に形成された左右方向に延びる凹部と、前記下壁下面に形成された、前記凹部の一部と嵌合する形状を持つ左右方向に延びる凸部と、前記上壁の凹部と前記土壌収容部とを連通するように形成された上部水抜き穴と、前記下壁の凸部と前記土壌収容部とを連通するように形成された下部水抜き穴とを備え、前記上部水抜き穴と前記下部水抜き穴とを、嵌合する前記凹部及び凸部の接合面で連通するように形成してなる、上下左右に配設されたコンクリートブロックと、前記左側壁の左面の上下方向に延びる凹部と前記右側壁の右面の上下方向に延びる凹部との空間に通された上下方向の鉄筋及び該空間に打設されたコンクリートと、前記上壁上面に形成された左右方向に延びる凹部と前記下壁下面に形成された左右方向に延びる凸部との空間に通された左右方向の鉄筋及び該空間に打設されたコンクリートと、各コンクリートブロックの前記土壌収容部に配設された土壌とを備え、この土壌に緑化植物を植栽してなるものである。
【００２８】
ここで、各コンクリートブロックの前記土壌収容部に配設する土壌を、予め各コンクリートブロックの前記土壌収容部に嵌合する形状に成型すると好ましい。
【００２９】
また、前記成型土壌の全体又は一部を網体又は透水性のある包み材で覆うと好ましい。
【００３０】
さらに、前記緑化ブロック塀を構築するコンクリートブロックの下面形状に合わせて上面形状を形成すると共に、既設コンクリートブロック塀の上面形状に合わせて下面形状を形成した接続用ブロックを備え、前記既設コンクリートブロック塀上に前記接続用ブロックを配設し、これら接続用ブロック上に前記緑化ブロック塀を積み上げると好ましい。
【発明の効果】
【００３１】
本発明に係る緑化ブロックは、左側壁及び右側壁並びに上壁及び下壁と、前記左右の側壁及び上下壁により囲まれた表側から裏側への空間の略中央部に配設され、前記左側壁及び右側壁間並びに前記上壁及び下壁間に渡る仕切り壁と、前記表側から前記仕切り壁に向かうにつれて狭くなる表側土壌収容部と、前記裏側から前記仕切り壁に向かうにつれて狭くなる裏側土壌収容部と、前記上壁上面に形成された左右方向に延びる凹部と、前記下壁下面に形成された、前記凹部の一部と嵌合する形状を持つ左右方向に延びる凸部と、前記上壁の凹部と前記表側土壌収容部及び裏側土壌収容部のそれぞれとを連通するように形成された上部水抜き穴と、前記下壁の凸部と前記表側土壌収容部及び裏側土壌収容部のそれぞれとを連通するように形成された下部水抜き穴とを備え、前記上部水抜き穴と前記下部水抜き穴とを、嵌合する前記凹部及び凸部の接合面で連通するように形成したので、コストを低減することができるという効果を奏する。また、この緑化ブロックを用いて緑化ブロック塀を形成することにより、緑化ブロック塀の鉛直面の緑化をより効率的に行うことができると共に給水作業等のメンテナンス作業を簡単化することができるという効果を奏する。さらに、緑化ブロック塀の耐震強度を高めることができるという効果を奏する。
【００３２】
また、前記表側土壌収容部及び裏側土壌収容部に配設する土壌の落下抑制用の着脱可能な支持部材を設けたので、緑化ブロックからの土壌の落下を抑制することができるという効果を奏する。
【００３３】
さらに、前記仕切り壁に、前記表側土壌収容部と前記裏側土壌収容部との連結穴を形成したので、この緑化ブロックを用いて緑化ブロック塀を形成した際の緑化植物及び成型土壌の表側土壌収容部及び裏側土壌収容部への定着性が向上するという効果を奏する。
【００３４】
さらにまた、前記下壁に形成された左右方向に延びる凸部に左右方向に延びる溝部を形成したので、この緑化ブロックをコンクート成型品として緑化ブロック塀を形成する際に、前記上壁上面に形成された左右方向に延びる凹部と前記下壁下面に形成された左右方向に延びる凸部との空間に鉄筋を通すと共にコンクリートを打設することにより、緑化ブロック塀の耐震強度をさらに高めることができるという効果を奏する。
【００３５】
本発明に係る緑化ブロックは、左側壁及び右側壁並びに上壁及び下壁と、前記左右の側壁及び上下壁により囲まれた表側から裏側への空間の略中央部に配設され、前記左側壁及び右側壁間並びに前記上壁及び下壁間に渡る仕切り壁と、前記表側から前記仕切り壁に向かうにつれて狭くなる表側土壌収容部と、前記裏側から前記仕切り壁に向かうにつれて狭くなる裏側土壌収容部と、前記上壁上面と前記表側土壌収容部及び裏側土壌収容部のそれぞれとを連通するように形成された上部水抜き穴と、前記下壁下面と前記表側土壌収容部及び裏側土壌収容部のそれぞれとを連通するように形成された下部水抜き穴とを備え、前記仕切り壁に、前記表側土壌収容部と前記裏側土壌収容部との連結穴を形成してなる緑化ブロックであって、当該緑化ブロックを上下に並設した場合に、前記上部水抜き穴及び下部水抜き穴を上下の接合面で連通するように形成したので、コストを低減することができるという効果を奏する。また、この緑化ブロックを用いて緑化ブロック塀を形成することにより、緑化ブロック塀の鉛直面の緑化をより効率的に行うことができると共に給水作業等のメンテナンス作業を簡単化することができるという効果を奏する。さらに、この緑化ブロックを用いて緑化ブロック塀を形成した際の緑化植物及び成型土壌の表側土壌収容部及び裏側土壌収容部への定着性が向上するという効果を奏する。
【００３６】
また、前記表側土壌収容部及び裏側土壌収容部に配設する土壌の落下抑制用の着脱可能な支持部材を設けたので、緑化ブロックからの土壌の落下を抑制することができるという効果を奏する。
【００３８】
さらにまた、前記上壁上面及び下壁下面に左右方向に延びる凹部を形成したので、これら凹部内に鉄筋を通すと共にコンクリートを打設することにより、緑化ブロック塀の耐震強度を高めることができるという効果を奏する。
【００３９】
本発明に係る緑化ブロックは、左側壁及び右側壁、上壁及び下壁並びに後壁と、前記左右の側壁及び上下壁により囲まれた、後壁に向かうにつれて狭くなる土壌収容部と、前記上壁上面に形成された左右方向に延びる凹部と、前記下壁下面に形成された、前記凹部の一部と嵌合する形状を持つ左右方向に延びる凸部と、前記上壁の凹部と前記土壌収容部とを連通するように形成された上部水抜き穴と、前記下壁の凸部と前記土壌収容部とを連通するように形成された下部水抜き穴とを備え、前記上部水抜き穴と前記下部水抜き穴とを、嵌合する前記凹部及び凸部の接合面で連通するように形成したので、コストを低減することができるという効果を奏する。また、この緑化ブロックを用いて緑化ブロック塀を形成することにより、緑化ブロック塀の鉛直面の緑化をより効率的に行うことができると共に給水作業等のメンテナンス作業を簡単化することができるという効果を奏する。さらに、緑化ブロック塀の耐震強度を高めることができるという効果を奏する。
【００４０】
また、前記土壌収容部に配設する土壌の落下抑制用の着脱可能な支持部材を設けたので、緑化ブロックからの土壌の落下を抑制することができるという効果を奏する。
【００４１】
さらに、前記後壁の後面に前側に窪んだ後面水受け部を形成し、この後面水受け部内の下部と前記土壌収容部とを連通する前側に傾斜する後部水受け穴を設けたので、前記土壌収容部により多くの水分が集まるという効果を奏する。
【００４２】
さらにまた、前記下壁に形成された左右方向に延びる凸部に左右方向に延びる溝部を形成したので、この緑化ブロックをコンクート成型品として緑化ブロック塀を形成する際に、前記上壁上面に形成された左右方向に延びる凹部と前記下壁下面に形成された左右方向に延びる凸部との空間に鉄筋を通すと共にコンクリートを打設することにより、緑化ブロック塀の耐震強度をさらに高めることができるという効果を奏する。
【００４３】
本発明に係る緑化ブロックは、左側壁及び右側壁、上壁及び下壁並びに後壁と、前記左右の側壁及び上下壁により囲まれた、後壁に向かうにつれて狭くなる土壌収容部と、前記上壁上面と前記土壌収容部とを連通するように形成された上部水抜き穴と、前記下壁下面と前記土壌収容部とを連通するように形成された下部水抜き穴とを備え、前記後壁の後面に前側に窪んだ後面水受け部を形成し、この後面水受け部内の下部と前記土壌収容部とを連通する前側に傾斜する後部水受け穴を設けた緑化ブロックであって、当該緑化ブロックを上下に並設した場合に、前記上部水抜き穴及び下部水抜き穴を上下の接合面で連通するように形成したので、コストを低減することができるという効果を奏する。また、この緑化ブロックを用いて緑化ブロック塀を形成することにより、緑化ブロック塀の鉛直面の緑化をより効率的に行うことができると共に給水作業等のメンテナンス作業を簡単化することができるという効果を奏する。さらに、前記土壌収容部により多くの水分が集まるという効果を奏する。
【００４４】
また、前記土壌収容部に配設する土壌の落下抑制用の着脱可能な支持部材を設けたので、緑化ブロックからの土壌の落下を抑制することができるという効果を奏する。
【００４６】
さらにまた、前記上壁上面及び下壁下面に左右方向に延びる凹部を形成したので、これら凹部内に鉄筋を通すと共にコンクリートを打設することにより、緑化ブロック塀の耐震強度を高めることができるという効果を奏する。
【００４７】
また、前記左側壁の左面及び前記右側壁の右面の略中央部に上下方向に延びる凹部を形成したので、この緑化ブロックをコンクート成型品として緑化ブロック塀を形成する際に、前記左側壁の左面の上下方向に延びる凹部と前記右側壁の右面の上下方向に延びる凹部との空間に鉄筋を通すと共にコンクリートを打設することにより、緑化ブロック塀の耐震強度を高めることができるという効果を奏する。
【００４８】
本発明に係る緑化ブロック塀は、左側壁及び右側壁並びに上壁及び下壁と、前記左右の側壁及び上下壁により囲まれた表側から裏側への空間の略中央部に配設され、前記左側壁及び右側壁間並びに前記上壁及び下壁間に渡る仕切り壁と、前記表側から前記仕切り壁に向かうにつれて狭くなる表側土壌収容部と、前記裏側から前記仕切り壁に向かうにつれて狭くなる裏側土壌収容部と、前記左側壁の左面及び右側壁の右面の略中央部に形成された上下方向に延びる凹部と、前記上壁上面に形成された左右方向に延びる凹部と、前記下壁下面に形成された、前記上壁上面に形成された左右方向に延びる凹部の一部と嵌合する形状を持つ左右方向に延びる凸部と、前記上壁の凹部と前記表側土壌収容部及び裏側土壌収容部のそれぞれとを連通するように形成された上部水抜き穴と、前記下壁の凸部と前記表側土壌収容部及び裏側土壌収容部のそれぞれとを連通するように形成された下部水抜き穴とを備え、前記上部水抜き穴と前記下部水抜き穴とを、嵌合する前記凹部及び凸部の接合面で連通するように形成してなる、上下左右に配設されたコンクリートブロックと、前記左側壁の左面の上下方向に延びる凹部と前記右側壁の右面の上下方向に延びる凹部との空間に通された上下方向の鉄筋及び該空間に打設されたコンクリートと、前記上壁上面に形成された左右方向に延びる凹部と前記下壁下面に形成された左右方向に延びる凸部との空間に通された左右方向の鉄筋及び該空間に打設されたコンクリートと、各コンクリートブロックの前記表側土壌収容部及び裏側土壌収容部に配設された土壌とを備え、この土壌に緑化植物を植栽したので、緑化ブロック塀の鉛直面の緑化をより効率的に行うことができると共に給水作業等のメンテナンス作業を簡単化することができるという効果を奏する。また、緑化ブロック塀の耐震強度を高めることができると共に施工コストを低減することができるという効果を奏する。
【００４９】
また、各コンクリートブロックの前記表側土壌収容部及び裏側土壌収容部に配設する土壌を、予め各コンクリートブロックの前記表側土壌収容部及び裏側土壌収容部に嵌合する形状に成型したので、ブロック塀の鉛直面の緑化をより効率的に行うことができると共に緑化ブロック塀の施工時間を短縮することができるという効果を奏する。
【００５０】
さらに、前記成型土壌の全体又は一部を網体又は透水性のある包み材で覆ったので、前記成型土壌の運搬時等における割れ、欠け等を抑制できると共に、予め緑化植物を植栽した状態で前記成型土壌を前記コンクリートブロックの表側空間部又は裏側空間部に配設する場合においても、前記成型土壌の形態が保ちやすくなるという効果を奏する。
【００５１】
本発明に係る緑化ブロック塀は、左側壁及び右側壁、上壁及び下壁並びに後壁と、前記左右の側壁及び上下壁により囲まれた、後壁に向かうにつれて狭くなる土壌収容部と、前記上壁上面に形成された左右方向に延びる凹部と、前記下壁下面に形成された、前記凹部の一部と嵌合する形状を持つ左右方向に延びる凸部と、前記上壁の凹部と前記土壌収容部とを連通するように形成された上部水抜き穴と、前記下壁の凸部と前記土壌収容部とを連通するように形成された下部水抜き穴とを備え、前記上部水抜き穴と前記下部水抜き穴とを、嵌合する前記凹部及び凸部の接合面で連通するように形成してなる、上下左右に配設されたコンクリートブロックと、前記左側壁の左面の上下方向に延びる凹部と前記右側壁の右面の上下方向に延びる凹部との空間に通された上下方向の鉄筋及び該空間に打設されたコンクリートと、前記上壁上面に形成された左右方向に延びる凹部と前記下壁下面に形成された左右方向に延びる凸部との空間に通された左右方向の鉄筋及び該空間に打設されたコンクリートと、各コンクリートブロックの前記土壌収容部に配設された土壌とを備え、この土壌に緑化植物を植栽したので、緑化ブロック塀の鉛直面の緑化をより効率的に行うことができると共に給水作業等のメンテナンス作業を簡単化することができるという効果を奏する。また、緑化ブロック塀の耐震強度を高めることができると共に施工コストを低減することができるという効果を奏する。
【００５２】
また、各コンクリートブロックの前記土壌収容部に配設する土壌を、予め各コンクリートブロックの前記土壌収容部に嵌合する形状に成型したので、ブロック塀の鉛直面の緑化をより効率的に行うことができると共に緑化ブロック塀の施工時間を短縮することができるという効果を奏する。
【００５３】
さらに、前記成型土壌の全体又は一部を網体又は透水性のある包み材で覆ったので、前記成型土壌の運搬時等における割れ、欠け等を抑制できると共に、予め緑化植物を植栽した状態で前記成型土壌を前記コンクリートブロックの表側空間部又は裏側空間部に配設する場合においても、前記成型土壌の形態が保ちやすくなるという効果を奏する。
【００５４】
さらにまた、前記緑化ブロック塀を構築するコンクリートブロックの下面形状に合わせて上面形状を形成すると共に、既設コンクリートブロック塀の上面形状に合わせて下面形状を形成した接続用ブロックを備え、前記既設コンクリートブロック塀上に前記接続用ブロックを配設し、これら接続用ブロック上に前記緑化ブロック塀を積み上げたので、本発明に係る緑化ブロック塀の構築が容易になると共に既設コンクリートブロック塀の一部を本発明に係る緑化ブロック塀に容易に置き換えることができる。
【発明を実施するための最良の形態】
【００５５】
実施の形態１．
図１〜図３は、本発明の実施の形態１に係る緑化ブロックの例を示す図であり、図１は斜視図、図２は平面図である。また、図３は右側面断面図であり、図３（ａ）は下壁に形成された凸部に左右方向に延びる溝部がない場合を、図３（ｂ）は下壁に形成された凸部に左右方向に延びる溝部がある場合を示している。
【００５６】
緑化ブロック１は、コンクリート成型品であり、左側壁２及び右側壁３並びに上壁４及び下壁５と、左右の側壁２，３及び上下壁４，５により囲まれた表側から裏側への空間の略中央部に配設され、左側壁２及び右側壁３間並びに上壁４及び下壁５間に渡る仕切り壁６とにより構成されている。また、表側から仕切り壁６に向かうにつれて狭くなる表側土壌収容部７及び裏側から仕切り壁６に向かうにつれて狭くなる裏側土壌収容部８が形成されている。さらに、上壁４上面には左右方向に延びる凹部９が形成され、下壁５下面には、当該緑化ブロック１，１・・・を上下に連結した場合に下の緑化ブロック１の凹部９の一部と嵌合する形状を持つ左右方向に延びる凸部１０が形成されている。さらにまた、前記上壁４には、前記表側土壌収容部７及び裏側土壌収容部８のそれぞれと連通する上部水抜き穴１１，１１・・・が、前記下壁５には、前記表側土壌収容部７及び裏側土壌収容部８のそれぞれと連通する下部水抜き穴１２，１２・・・が形成されている。また、前記上部水抜き穴１１，１１・・・と前記下部水抜き穴１２，１２・・・とは、嵌合する前記凹部及び凸部の接合面で連通するように形成されている。
【００５７】
また、左側壁２の左面の略中央部には上下方向に延びる凹部１３が、右側壁３の右面の略中央部には上下方向に延びる凹部１４が形成されており、下壁５の凸部１０には左右方向に延びる溝部１５が形成されている。さらに、左側壁２及び右側壁３の表面及び裏面には、それぞれ支持穴１６，１６が形成されており、該支持穴１６，１６間には、左側壁２及び右側壁３間に渡る支持棒１７が嵌挿されている。支持穴１６及び支持棒１７が、土壌の落下抑制用の着脱可能な支持部材を構成している。
【００５８】
上壁４上面に形成された左右方向に延びる凹部９は側壁２又は３側から見て略Ｖ字形状をしているため（図３参照。）、成型性がよいと共に、緑化ブロック１，１・・・を上下に嵌合した際の安定性及び強度に優れる形状となっている。また、表側土壌収容部７は表側から仕切り壁６に向かうにつれて狭くなる形状をしており、裏側土壌収容部８は裏側から仕切り壁６に向かうにつれて狭くなる形状をしているため、成型性がよい。以上のように成型性がよいことから、緑化ブロック１は量産性に優れ、従って、製造コストを低減することができる。また、保管及び運搬時の安定性及び強度に優れるため、安全性が高いと共に流通コストを低減することができる。
【００５９】
図４及び図５は、本発明の実施の形態１に係る緑化ブロック塀用コンクリートブロックを上下左右に配設して形成したブロック塀の構成例を示す説明図であり、図４は平面図、図５は右側面断面図である。また、緑化ブロック１の断面は図３（ｂ）の場合を示している（図５参照。）。図４及び図５において、図１〜図３と同一符号は同一又は相当部分を示している。
【００６０】
緑化ブロック１，１・・・を上下左右に配設し、図４のように、左側壁２，２・・・の左面の上下方向に延びる凹部１３，１３・・・と、該凹部１３，１３・・・に対応する右側壁３，３・・・の右面の上下方向に延びる凹部１４，１４・・・との間に上下方向に鉄筋１８ａ，１８ａ・・・を通し、コンクリート１９，１９・・・を打設する。また、図５のように、上壁４，４・・・上面に形成された左右方向に延びる凹部９，９・・・と、該凹部９，９・・・に対応する下壁５，５・・・下面に形成された左右方向に延びる凸部１０，１０・・・との間に左右方向に鉄筋１８ｂ，１８ｂ・・・を通し、コンクリート１９，１９・・・を打設する。なお、鉄筋１８ａ，１８ａ・・・及び１８ｂ，１８ｂ・・・は、必ずしも図４及び図５のように全ての緑化ブロック１，１・・・間に配設する必要はなく、緑化ブロック１，１・・・間の一部のみに配設することもできる。
【００６１】
以上のブロック塀の構成により、特に上下の緑化ブロック１，１が凹部９と凸部１０が嵌合すると共に広い嵌合接触面を持つため、緑化ブロック１，１・・・を積み上げて形成するブロック塀の耐震強度を高めることができる。また、上下方向の鉄筋１８ａ，１８ａ・・・及び左右方向の鉄筋１８ｂ，１８ｂ・・・を入れてコンクリート１９，１９・・・で固定するため、緑化ブロック１，１・・・が強固に連結してなる強度の高いブロック塀を得ることができる。さらに、図５のように、下壁５，５・・・下面の左右方向に延びる凸部１０，１０・・・には左右方向に延びる溝部１５，１５・・・が形成されているため、緑化ブロック１とコンクリート１９との接触面積が増えて結合強度が増加する。さらにまた、上壁４，４・・・上面に形成された左右方向に延びる凹部９，９・・・と、下壁５，５・・・下面に形成された左右方向に延びる凸部１０，１０・・・との間に左右方向に鉄筋１８ｂ，１８ｂ・・・を通し、コンクリート１９，１９・・・を打設するため、通常のコンクリートブロックの合わせ面のコンクリートによる目地の幅等を考慮する必要がなく施工性が向上する。
【００６２】
次に、本発明の実施の形態１に係る緑化ブロック塀の構成について説明する。前記のとおりにブロック塀を形成した後、各緑化ブロック１の表側土壌収容部７及び裏側土壌収容部８に土壌を配設し、この土壌に緑化植物を植栽して緑化ブロック塀を構成することができる。緑化植物としては、例えば、小松菜、春菊及びネギ等の葉野菜を季節に合わせて植栽することができる。
【００６３】
また、表側土壌収容部７が表側から仕切り壁６に向かうにつれて狭くなる形状をしており、裏側土壌収容部８が裏側から仕切り壁６に向かうにつれて狭くなる形状をしているため、各緑化ブロック１の表側土壌収容部７及び裏側土壌収容部８に配設する土壌は、予め各緑化ブロック１の表側土壌収容部７及び裏側土壌収容部８に嵌合する形状に成型しておくことができる。従って、このような成型土壌を用いることにより、表側土壌収容部７及び裏側土壌収容部８を満たす十分な土壌量を確保することができ、この土壌量に合った量の緑化植物を植栽できるため、ブロック塀の鉛直面の緑化をより効率的に行うことができる。また、このような成型土壌を用いることにより表側土壌収容部７及び裏側土壌収容部８に土壌を入れる手間を大幅に削減することができるため、緑化ブロック塀の施工時間を短縮することができる。
【００６４】
図６は、成型土壌の例を示す斜視図であり、図６（ａ）は成型土壌を覆う網体がない場合を、図６（ｂ）は成型土壌を覆う網体がある場合を示している。成型土壌２０の成型は別途製作した合わせ型を用いてもよいが、成型土壌２０は緑化ブロック１の表側土壌収容部７及び裏側土壌収容部８に嵌合する形状であるため、緑化ブロック１の表側土壌収容部７又は裏側土壌収容部８を型として利用することもできる。このように成型した成型土壌２０を、そのまま各緑化ブロック１の表側土壌収容部７及び裏側土壌収容部８に配設するか、図６（ｂ）のように網体２１で覆った状態で各緑化ブロック１の表側土壌収容部７及び裏側土壌収容部８に配設することもできる。成型土壌２０を網体２１で覆えば、成型土壌２０の運搬時等における成型土壌２０の割れ、欠け等を抑制できると共に、予め緑化植物を植栽した状態で緑化ブロック１の表側土壌収容部７又は裏側土壌収容部８に配設する場合にも成型土壌２０の形態が保ちやすくなり都合がよい。
【００６５】
網体２１は、例えば、とうもろこし等のでんぷん、椰子若しくはケナフ等からなる天然繊維、でんぷんから得られる乳酸等を原料とした生分解性合成繊維又はポリエステル、ナイロン若しくはアラミッド繊維等の化学繊維を編んで形成することができる。また、網体２１ではなく、例えば椰子又はケナフ等の繊維により透水性の包み材を形成して、この包み材により前記成形土壌の全部又は一部を覆ってもよい。前記網体又は包み材を天然素材又は生分解性合成繊維により形成すれば、栄養がなくなった土壌を回収して養生し、リサイクルする際にも都合がよい。なお、前記包み材を用いる場合は、前記包み材により包まれる土壌は必ずしも成型土壌でなくてもよい。さらに、前記包み材を用いる場合は、前記包み材は透水性と共に一定の保水性を有するため、保水力を向上することができる。
【００６６】
各緑化ブロック１，１・・・の表側土壌収容部７及び裏側土壌収容部８に土壌（成型土壌２０又は未成型土壌）を配設した後は、該土壌の落下抑制用の着脱可能な支持部材である図１の支持穴１６及び支持棒１７により、支持穴１６に支持棒１７を嵌挿することにより、各緑化ブロック１，１・・・の表側土壌収容部７及び裏側土壌収容部８に配設した前記土壌の落下を抑制することができる。特に支持穴１６を斜め下方向に形成しておけば、支持穴１６からの支持棒１７の抜けを抑制することができる。また、前記土壌の落下抑制用の着脱可能な支持部材としては、図１の支持穴１６及び支持棒１７からなる構成に限定されず、複数の支持棒１７を上下に並設してもよいし、支持棒１７ではなく適宜の幅の板を用いる等、土壌の落下抑制機能を有する様々な手段を採用することができる。
【００６７】
次に、本願発明における緑化植物への給水について、図５の緑化ブロック塀の右側面断面図を用いて説明する。各緑化ブロック１，・・・の上壁４，４・・・上面には、左右方向に延びる凹部９，９・・・が形成されているため、ブロック塀の上面には凹部９が連なった水受け部分が形成されており、雨水又は人手による給水が前記水受け部分である凹部９に溜まる構成となっている。なお、緑化ブロック塀の最上部の緑化ブロック１，１・・・の最も端のものには、該緑化ブロック１の凹部９から水が流れ落ちないように、該緑化ブロック１の側壁２又は３から凹部９にわたるプレート等の堰き止め手段を設けるのが好ましい。
【００６８】
また、上壁４，４・・・には、表側土壌収容部７及び裏側土壌収容部８のそれぞれと連通する上部水抜き穴１１，１１・・・が、前記下壁５には、前記表側土壌収容部７及び裏側土壌収容部８のそれぞれと連通する下部水抜き穴１２，１２・・・が形成されており、前記上部水抜き穴１１，１１・・・と前記下部水抜き穴１２，１２・・・とは、嵌合する凹部９及び凸部１０の接合面で連通するように形成されている。雨水又は人手による給水が前記水受け部分である凹部９に溜まり、当該緑化ブロック１の上部水抜き穴１１，１１・・・に達すると、上部水抜き穴１１，１１・・・から、該上部水抜き穴１１，１１・・・下部の図示しない土壌に給水される。余分な水分は、下部水抜き穴１２，１２・・・を通して、この下部水抜き穴１２，１２・・・に連通している下の緑化ブロック１，１・・・の上部水抜き穴１１，１１・・・から、該上部水抜き穴１１，１１・・・下部の図示しない土壌に給水される。以下、同様に下の緑化ブロック１の表側土壌収容部７及び裏側土壌収容部８の図示しない土壌に給水される。
【００６９】
以上のように、ブロック塀上面の前記水受け部分にのみ給水することにより、上下左右に配設した緑化ブロック１，１・・・の表側土壌収容部７及び裏側土壌収容部８内の土壌に給水することができるため、給水作業が非常に簡単となる。また、余分な水分は下方に排出されるため、表側土壌収容部７及び裏側土壌収容部８に配設された土壌に植栽した緑化植物の根腐れを防止することができる。
【００７０】
以上のとおり、本発明に係る緑化ブロック塀を使用することにより、ブロック塀の鉛直面の緑化をより効率的に行うことができるため、ヒートアイランド現象の緩和及び地球温暖化の抑制を効果的に推進することができる。また、効率的に生育した緑化植物により、景観が向上すること、植物が育つ喜びを鑑賞者同士が共有できると共に鑑賞者の気持ちが安らぐこと、及び、緑化植物を葉野菜とした場合には、これを食用にできること等の効果もある。
【００７１】
実施の形態２．
図７は、本発明の実施の形態２に係る緑化ブロック塀の例を示す断面図であり、実施の形態１の図１、図３、図５及び図６と同一符号は同一又は相当部分を示している。
【００７２】
仕切り壁６に表側土壌収容部７及び裏側土壌収容部８を連結する連結穴２２を形成することにより、表側土壌収容部７の成型土壌２０に植栽された図示しない緑化植物の根と裏側土壌収容部８の成型土壌２０に植栽された図示しない緑化植物の根とが連結穴２２を通して行き交うため、緑化植物及び成型土壌２０の表側土壌収容部７及び裏側土壌収容部８への定着性を向上することができ、緑化植物及び成型土壌２０の落下を抑制することができる。また、連結穴２２は１箇所に限らず、適宜の大きさの穴を複数箇所に明けてもよい。
【００７３】
実施の形態３．
図８は、本発明の実施の形態３に係る緑化ブロックの例を示す断面図であり、図８（ａ）及び図８（ｂ）は表側土壌収容部及び裏側土壌収容部の形状並びに上壁上面に形成された左右方向に延びる凹部及び下壁下面に形成された凸部の形状が実施の形態１と異なる場合の例を示している。また、実施の形態１の図３と同一符号は同一又は相当部分を示している。
【００７４】
表側から仕切り壁６に向かうにつれて狭くなる表側土壌収容部７及び裏側から仕切り壁６に向かうにつれて狭くなる裏側土壌収容部８の形状は、実施の形態１のような形状に限定されるものではなく、仕切り壁６に向かうにつれて狭くなるという成型性及び成型土壌の入れやすさを備える形状であれば図８に示す形状等様々な形状を採用することができる。
【００７５】
また、上壁４上面に形成された左右方向に延びる凹部９の形状は、実施の形態１のような略Ｖ字形状に限定されるのではなく、成型性及び連結安定性等を考慮した実施の形態１のＶ字形状に準じた、図８（ｂ）に示す形状等様々な形状を採用することができる。また、これに合わせて、下壁５下面に形成された凸部１０の形状も、凹部９の形状に合わせて、凹部９の一部と嵌合する形状を持つように形成することができる。
【００７６】
実施の形態４．
図９は、本発明の実施の形態４に係る緑化ブロックの例を示す断面図であり、図９（ａ）は右側面断面図、図９（ｂ）は緑化ブロック塀の構成例を示す右側面断面図である。また、実施の形態１の図３及び図５と同一符号は同一又は相当部分を示している。なお、図９には示していないが、緑化ブロック２３の左側壁２及び右側壁３は、実施の形態１の図１と同様の形状を有している。
【００７７】
緑化ブロック２３は、コンクリート成型品であり、図示していない左側壁２及び右側壁３、上壁４及び下壁５並びに後壁２４とにより構成されている。また、左右の側壁２，３及び上下壁４，５により囲まれた、後壁２４に向かうにつれて狭くなる土壌収容部２５が形成されている。さらに、上壁４上面には左右方向に延びる凹部９が形成され、下壁５下面には、当該緑化ブロック２３，２３・・・を上下に連結した場合に下の緑化ブロック２３の凹部９の一部と嵌合する形状を持つ左右方向に延びる凸部１０が形成されている。さらにまた、前記上壁４には、前記上壁４の凹部９と前記土壌収容部２５とを連通する上部水抜き穴２６，２６・・・が、前記下壁５の凸部１０には、前記下壁５の凸部１０と前記土壌収容部２５とを連通する下部水抜き穴２７，２７・・・とが形成されている。また、前記上部水抜き穴２６，２６・・・と前記下部水抜き穴２７，２７・・・とは、嵌合する前記凹部９及び凸部１０の接合面で連通するように形成されている。
【００７８】
また、前記上壁４の凹部９の中央部には、緑化ブロック塀の最上部の緑化ブロック２３として用いられた場合に、前記土壌収容部２５と連通する水受け穴２８，２８・・・が形成されている。また、後壁２４の後面には、前側に窪んだ後面水受け部２９が形成され、この後面水受け部２９内の下部と前記土壌収容部２５とを連通する前側に傾斜する後部水受け穴３０が形成されている。なお、後面水受け部２９の下面２９ａは後部水受け穴３０の後壁２４後面側の部分の向かうにつれて低くなる形状、例えばＶ字状又は波形状等とすると、後部水受け穴３０の周りに雨水等が集まりやすくなる。したがって、後部水受け穴３０から前記土壌収容部２５により多くの水が入り、土壌収容部２５に植栽された図示しない緑化植物により多くの水分が供給されるため好ましい。
【００７９】
なお、図示しない左側壁２及び右側壁３の表面には、図１と同様の支持穴１６，１６が形成されており、該支持穴１６，１６間には、左側壁及び右側壁３間に渡る支持棒１７が嵌挿されている。実施の形態１と同様に、前記支持穴１６及び支持棒１７が、土壌の落下抑制用の着脱可能な支持部材を構成している。
【００８０】
以上のとおり、実施の形態４の構成は、実施の形態１の表側土壌収容部７及び裏側土壌収容部８を有する両面タイプの緑化ブロック１と異なり、片側のみの土壌収容部２５を有する片面タイプの緑化ブロック２３であるが、実施の形態１の両面タイプの緑化ブロック１と同様の効果を奏するものである。
【００８１】
実施の形態５．
図１０は、本発明の実施の形態５に係る緑化ブロック塀の構成例を示す右側面断面図であり、既設コンクリートブロック塀Ａ上に本発明の緑化ブロック塀を積み上げた構成を示している。既設コンクリートブロック塀Ａは、通常のコンクリートブロック塀を基礎部から新たに数段程度積み上げた形態、あるいは、通常のコンクリートブロック塀の上部を切除して基礎部から数段程度とした形態を示している。また、実施の形態４の図９と同一符号は同一又は相当部分を示している。
【００８２】
接続用ブロック３１は、緑化ブロック塀を構築する緑化ブロック２３（なお、本発明に係る他の形態の緑化ブロックであってもよい。前記片面タイプ又は両面タイプに限定されない。）の下面形状に合わせて上面形状が形成されている。また、接続用ブロック３１は、既設コンクリートブロック塀Ａの上面形状に合わせて下面形状が形成されている。したがって、既設コンクリートブロック塀Ａ上に接続用ブロック３１をモルタル３２等で固定し、この接続用ブロック３１上に実施の形態１の図４及び図５の説明と同様の方法により緑化ブロック２３，２３・・・を積み上げることができる。このような構成により、本発明に係る緑化ブロック塀の構築が容易になると共に既設コンクリートブロック塀の一部を本発明に係る緑化ブロック塀に容易に置き換えることができる。なお、既設コンクリートブロック塀Ａが通常のコンクリートブロック塀の上部を切除したものである場合は、通常のコンクリートブロック塀を目地の部分から切断して、その上部のコンクリートブロックを排除した後、例えば縦筋は生かして横筋のみを新設するようにして本発明に係る緑化ブロックを積み上げればよい。
【００８３】
実施の形態６．
図１１は、本発明の実施の形態６に係る緑化ブロック塀の構成例を示す右側面断面図である。また、実施の形態１の図１、図３、図５及び図７と同一符号は同一又は相当部分を示している。なお、図１１には示していないが、緑化ブロック３３の左側壁２及び右側壁３は、実施の形態１の図１と同様の形状を有している。
【００８４】
緑化ブロック３３は、コンクリート成型品であり、図示していない左側壁２及び右側壁３並びに上壁４及び下壁５と、左右の側壁２，３及び上下壁４，５により囲まれた表側から裏側への空間の略中央部に配設され、左側壁２及び右側壁３間並びに上壁４及び下壁５間に渡る仕切り壁６とにより構成されている。また、表側から仕切り壁６に向かうにつれて狭くなる表側土壌収容部７及び裏側から仕切り壁６に向かうにつれて狭くなる裏側土壌収容部８が形成されている。さらに、上壁４上面には左右方向に延びる凹部９が形成され、下壁５下面には左右方向に延びる凹部３４が形成されている。さらにまた、前記上壁４には、前記上壁４上面と前記表側土壌収容部７及び裏側土壌収容部８のそれぞれとを連通する上部水抜き穴３５，３５・・・が、前記下壁５には、前記下壁５下面と前記表側土壌収容部７及び裏側土壌収容部８のそれぞれとを連通する下部水抜き穴３６，３６・・・が形成されている。また、前記上部水抜き穴３５，３５・・・と前記下部水抜き穴３６，３６・・・とは、緑化ブロック３３，３３を上下に並設した場合に、前記上部水抜き穴３６及び下部水抜き穴３６が上下の接合面で連通するように形成されている。さらに、前記上壁４には、前記上壁の凹部９と前記表側土壌収容部７及び裏側土壌収容部８のそれぞれとを連通する水抜き穴３７，３７・・・が形成されている。この水抜き穴３７，３７・・・は、緑化ブロック塀の最上部の緑化ブロックとして用いられた場合に、実施の形態１の上部水抜き穴１１と同様の機能を有するものである。
【００８５】
なお、図示しない左側壁２及び右側壁３の表面には、図１と同様の支持穴１６，１６が形成されており、該支持穴１６，１６間には、左側壁及び右側壁３間に渡る支持棒１７が嵌挿されている。実施の形態１と同様に、前記支持穴１６及び支持棒１７が、土壌の落下抑制用の着脱可能な支持部材を構成している。また、図１１は、支持棒１７を片面に２本設けた場合を示している。
【００８６】
実施の形態６の図１１の構成は、実施の形態１の図５又は実施の形態４の図９等の上下の緑化ブロックが嵌合する構成と比較して、緑化ブロック塀の耐震強度の面では若干劣るといえるが、緑化ブロック塀の鉛直面の緑化の効率化及び給水作業等のメンテナンス作業の簡単化の面では同様の効果を奏する。
【００８７】
実施の形態７．
図１２は、本発明の実施の形態７に係る緑化ブロック塀の構成例を示す右側面断面図である。また、実施の形態１の図７及び実施の形態４の図９と同一符号は同一又は相当部分を示している。なお、図１２には示していないが、緑化ブロック３８の左側壁２及び右側壁３は、実施の形態１の図１と同様の上下方向に延びる凹部１３及び１４を有する形状又は前記凹部を有さない形状をしている。
【００８８】
緑化ブロック３８は、コンクリート成型品であり、図示していない左側壁２及び右側壁３、上壁４及び下壁５並びに後壁２４とにより構成されている。また、左右の側壁２，３及び上下壁４，５により囲まれた、後壁２４に向かうにつれて狭くなる土壌収容部２５が形成されている。さらに、前記上壁４には、前記上壁４上面と前記土壌収容部２５とを連通する上部水抜き穴３９，３９・・・が、前記下壁５には、前記下壁５下面と前記土壌収容部２５とを連通する下部水抜き穴４０，４０・・・が形成されている。さらにまた、前記上部水抜き穴３９，３９・・・と前記下部水抜き穴４０，４０・・・とは、緑化ブロック３８，３８を上下に並設した場合に、前記上部水抜き穴３９及び下部水抜き穴４０が上下の接合面で連通するように形成されている。なお、上下の緑化ブロック３８，３８は、前記上部水抜き穴３９及び下部水抜き穴４０の連通を阻害しないように、モルタル３２等で固定される。また、下部水抜き穴４０，４０・・・には、各穴との嵌合部を有すると共に内径を変えることにより給水量を調節できる給水量調節手段４１，４１・・・が取り付けられている。これら給水量調節手段４１，４１・・・により、成型土壌２０，２０・・・及び植栽する緑化植物の種類等の条件に応じて給水量を容易に調節することができる。なお、給水量調節手段４１は最上部の緑化ブロック３８の上部水抜き穴３９に取り付けてもよい。特に、前記上部水抜き穴３９，３９・・・及び下部水抜き穴４０，４０・・・の径を大きく形成して、給水量調節手段４１，４１・・・を取り付けて給水量の調整を行えば、成型土壌２０，２０・・・への給水量の調製可能範囲を大きくすることができる。
【００８９】
また、緑化ブロック３８の上壁４上面には、左右方向に延びる凹部を形成することもできるし、最上部の緑化ブロックの上面のみに大きな開口を設けることもできる。緑化ブロック３８の上壁４上面に左右方向に延びる凹部を形成した場合は、この凹部から前記土壌収容部２５に連通する上部水抜き穴を形成することにより、実施の形態１の上壁４上面に形成された左右方向に延びる凹部９及び上部水抜き穴１１と同様の給水作業の簡単化等の効果を奏する。
【００９０】
実施の形態７の図１２の構成は、実施の形態１の図５、実施の形態４の図９又は実施の形態６の図１１のような、上下の緑化ブロック間に空間を設けて、左右方向の配筋を通して前記空間にコンクリートを打設する構成と比較して、緑化ブロック塀の耐震強度の面では劣るといえるが、緑化ブロック塀の鉛直面の緑化の効率化及び給水作業等のメンテナンス作業の簡単化の面では同様の効果を奏する。また、緑化ブロック３８の形状は比較的シンプルなものであるので、緑化ブロック単体の成型コストを低減することができる。
【００９１】
以上の説明においては、緑化ブロック１,２３，３３及び３８がコンクリート成型品である場合について説明したが、緑化ブロック１,２３，３３及び３８はコンクリート成型品ではなく、樹脂成型品又は発砲スチロールによる成型品等であってもよい。このような樹脂成型品又は発砲スチロールによる成型品等からなる緑化ブロックを用いた場合は、特に、室内の間仕切等としても使用することができる。室内の間仕切等として本願発明の緑化ブロック１,２３，３３及び３８を使用する場合は、上下方向の鉄筋１８ａ，１８ａ・・・及び左右方向の鉄筋１８ｂ，１８ｂ・・・並びにコンクリート１９，１９・・・をなくすこともできる。なお、このような場合には、上下左右の緑化ブロックをピン等の連結手段を用いて連結するのが好ましい。
【００９２】
以上の説明においては、説明の便宜上、緑化ブロック塀が「左右方向」に形成されている場合について説明したが、ブロック塀は家屋の周り等に形成されるものであり、本明細書の「左右方向」に限定されるものではなく、本明細書の説明と同様の緑化ブロック塀を「左右方向」と直交する方向等、様々な方向に形成することができる。
【図面の簡単な説明】
【００９３】
【図１】本発明の実施の形態１に係る緑化ブロックの例を示す斜視図である。
【図２】本発明の実施の形態１に係る緑化ブロックの例を示す平面図である。
【図３】本発明の実施の形態１に係る緑化ブロックの例を示す右側面断面図であり、（ａ）は下壁に形成された凸部に左右方向に延びる溝部がない場合を、（ｂ）は下壁に形成された凸部に左右方向に延びる溝部がある場合を示している。
【図４】本発明の実施の形態１に係る緑化ブロック塀の構成例を示す平面図である。
【図５】本発明の実施の形態１に係る緑化ブロック塀の構成例を示す右側面断面図である。
【図６】本発明の実施の形態１に係る成型土壌の例を示す斜視図であり、（ａ）は成型土壌を覆う網体がない場合を、（ｂ）は成型土壌を覆う網体がある場合を示している。
【図７】本発明の実施の形態２に係る緑化ブロック塀の例を示す断面図である。
【図８】本発明の実施の形態３に係る緑化ブロックの例を示す断面図であり、（ａ）及び（ｂ）は表側土壌収容部及び裏側土壌収容部の形状並びに上壁上面に形成された左右方向に延びる凹部及び下壁下面に形成された凸部の形状が実施の形態１と異なる場合の例を示している。
【図９】本発明の実施の形態４に係る緑化ブロックの例を示す断面図であり、（ａ）は右側面断面図、（ｂ）は緑化ブロック塀の構成例を示す右側面断面図である。
【図１０】本発明の実施の形態５に係る緑化ブロック塀の構成例を示す右側面断面図である。
【図１１】本発明の実施の形態６に係る緑化ブロック塀の構成例を示す右側面断面図である。
【図１２】本発明の実施の形態７に係る緑化ブロック塀の構成例を示す右側面断面図である。
【符号の説明】
【００９４】
１  緑化ブロック、２  左側壁、３  右側壁、４  上壁、５  下壁、６  仕切り壁、７  表側土壌収容部、８  裏側土壌収容部、９  上壁上面に形成された左右方向に延びる凹部、１０  下壁下面に形成された左右方向に延びる凸部、１１  上部水抜き穴、１２  下部水抜き穴、１３  左側壁左面の略中央部に形成された上下方向に延びる凹部、１４  右側壁右面の略中央部に形成された上下方向に延びる凹部、１５  下壁の凸部に形成された左右方向に延びる溝部、１６  支持穴、１７  支持棒、１８ａ、１８ｂ  鉄筋、１９  コンクリート、２０  成型土壌、２１  網体、２２  連結穴、２３  緑化ブロック、２４  後壁、２５  土壌収容部、２６  上部水抜き穴、２７  下部水抜き穴、３１  接続用ブロック、３２  モルタル、３３  緑化ブロック、３４  下壁５下面に形成された左右方向に延びる凹部、３５  上部水抜き穴、３６  下部水抜き穴、３７  水抜き穴、３８  緑化ブロック、３９  上部水抜き穴、４０  下部水抜き穴、４１  給水量調節手段、Ａ  既設コンクリートブロック塀。
【図１】
0003565222.tif 000002
【図２】
0003565222.tif 000003
【図３】
0003565222.tif 000004
【図４】
0003565222.tif 000005
【図５】
0003565222.tif 000006
【図６】
0003565222.tif 000007
【図７】
0003565222.tif 000008
【図８】
0003565222.tif 000009
【図９】
0003565222.tif 000010
【図１０】
0003565222.tif 000011
【図１１】
0003565222.tif 000012
【図１２】
0003565222.tif 000013